(57)【要約】【課題】操作者がスキャナに商品識別情報を読み取らせた商品を買物袋へ容易に入れることができるスキャナ付き袋支持装置を提供する。【解決手段】袋支持台１は、操作者から見て読取窓５２ａの手前側に位置する商品に付された商品識別情報を読み取るスキャナ５２と、買物袋を開口状態で支持する袋支持部４と、を備える。袋支持部４は、操作者から見て読取窓５２ａの手前側且つ読取窓５２ａの下方に配置されている。【選択図】図１
2011164761.tif 000002
【特許請求の範囲】
【請求項１】
操作者と対面する読取窓が設けられ、操作者から見て前記読取窓の手前側に位置する商品に付された商品識別情報を、読み取るスキャナと、
操作者から見て前記読取窓の手前側且つ前記読取窓の下方に配置され、買物袋を開口状態で支持する袋支持部と、
を備えるスキャナ付き袋支持装置。
【請求項２】
前記袋支持部が一体に設けられ前記袋支持部に支持された前記買物袋による荷重を受ける載置台を有し、前記載置台にかかる荷重を計量する計量器を備える請求項１に記載のスキャナ付き袋支持装置。
【請求項３】
商品の重量を記憶した記憶部から前記スキャナによって商品識別情報が読み取られた商品の重量を読み出し、読み出した前記重量と前記計量器が計量した荷重とを用いて、前記スキャナによる読み取りが行われていない商品が前記載置台上に載置されたか否かを判定する情報処理装置を備える請求項２に記載のスキャナ付き袋支持装置。
【請求項４】
前記情報処理装置は、前記計量器の下方に配置されている請求項３に記載のスキャナ付き袋支持装置。
【請求項５】
前記スキャナは、前記載置台の上方に配置され、前記載置台のうち前記袋支持部が設けられた部分は、操作者から見て前記スキャナの手前側に配置されており、
前記スキャナと前記載置台との間に、前記買物袋の一部を受け入れ可能な受入空間が形成されている請求項２ないし４のいずれか一項に記載のスキャナ付き袋支持装置。
【請求項６】
前記袋支持部の側方に配置され、前記スキャナによる商品識別情報の読み取りがされる前の商品を収納した買物籠が載置される籠台を備える請求項１ないし５のいずれか一項に記載のスキャナ付き袋支持装置。
【発明の詳細な説明】
【技術分野】
【０００１】
本発明は、スキャナ付き袋支持装置に関する。
【背景技術】
【０００２】
従来、例えばスーパーマーケット等の小売店に設置され、客の操作によって会計を行うセルフチェックアウト装置がある。
【０００３】
このようなセルフチェックアウト装置として、商品コードを読み取るスキャナを有する決済端末と、この決済端末の一側方に配置された籠台と、決済端末の他側方に配置された計量器と、計量器に設けられた袋支持部と、を備えるセルフチェックアアウト装置が知られている（例えば、特許文献１参照）。
【０００４】
このセルフチェックアウト装置では、操作者としての客は、会計前の商品を入れた買物籠を籠台に置き、レジ袋を袋支持部に支持させる。そして、客は、スキャナの手前側に立って、買物籠の中の商品を手で取り出し、その商品をスキャナに近接させて商品に付された商品コードをスキャナに読み取らせる。そして、客は、スキャナによって商品コードの読み取りがなされた商品を、袋支持部によって支持されているレジ袋に詰める。その後、セルフチェックアウト装置は、スキャナで商品コードを読み取った商品に対する会計処理を行う。このようなセルフチェックアウト装置には、店員が会計業務をしなくて済むという利点がある。
【発明の概要】
【発明が解決しようとする課題】
【０００５】
しかしながら、従来のセルフチェックアウト装置では、スキャナの側方に袋支持部があるため、客は、手に持った商品を、スキャナの手前からスキャナの側方に移動させなければならない。この際、客は、手に持った商品を自分の胴体から遠ざける方向に移動させなければならず、客にかかる負荷が大きいという問題がある。
【０００６】
本発明は、上記に鑑みてなされたものであって、操作者がスキャナに商品識別情報を読み取らせた商品を買物袋へ容易に入れることができるスキャナ付き袋支持装置を提供することを目的とする。
【課題を解決するための手段】
【０００７】
上述した課題を解決し、目的を達成するために、本発明のスキャナ付き袋支持装置は、操作者と対面する読取窓が設けられ、操作者から見て前記読取窓の手前側に位置する商品に付された商品識別情報を、読み取るスキャナと、操作者から見て前記読取窓の手前側且つ前記読取窓の下方に配置され、買物袋を開口状態で支持する袋支持部と、を備える。
【発明の効果】
【０００８】
本発明のスキャナ付き袋支持装置によれば、操作者がスキャナに商品識別情報を読み取らせた商品を買物袋へ容易に入れることができる。
【図面の簡単な説明】
【０００９】
【図１】図１は、本発明の第１の実施の形態のセルフチェックアウト装置の斜視図である。
【図２】図２は、セルフチェックアウト装置の正面図である。
【図３】図３は、セルフチェックアウト装置の平面図である。
【図４】図４は、セルフチェックアウト装置の右側面図である。
【図５】図５は、セルフチェックアウト装置の左側面図である。
【図６】図６は、袋支持台の右側面図である。
【図７】図７は、台部の内部を示す図である。
【図８】図８は、袋支持部の一部を示す斜視図である。
【図９】図９は、スタート画面を示す図である。
【図１０】図１０は、袋支持台の各部の電気的接続を示すブロック図である。
【図１１】図１１は、袋支持台のＣＰＵの機能構成を示すブロック図である。
【図１２】図１２は、袋支持台のＣＰＵが実行する会計処理の流れを示すフローチャートである。
【図１３】図１３は、本発明の第２の実施の形態のセルフチェックアウト装置の斜視図である。
【発明を実施するための形態】
【００１０】
以下に添付図面を参照して、この発明にかかるスキャナ付き袋支持装置の実施の形態を詳細に説明する。以下の実施の形態は、スキャナ付き袋支持装置としてセルフチェックアウト装置を適用した例である。なお、図中の矢印ａは、セルフチェックアウト装置の上下方向を示し、図中の矢印ｂは、セルフチェックアウト装置の幅方向（左右方向）を示し、図中の矢印ｃは、セルフチェックアウト装置の奥行き方向（前後方向）を示す。
【００１１】
（第１の実施の形態）
第１の実施の形態を図１ないし図１２を参照して説明する。図１ないし図５に示すように、スキャナ付き袋支持装置としてのセルフチェックアウト装置Ａは、袋支持台１とこの袋支持台１の一側方に配置された籠台１００とを備えている。セルフチェックアウト装置Ａは、例えば店舗内の床面６００（図２）に設置される。
【００１２】
袋支持台１は、図１ないし図６に示すように、台部２と、台部２の上部に設けられた計量器３と、計量器３の載置台２０に設けられた袋支持部４と、載置台２０に連結された一時置き台５と、スキャナ５２を有して計量器３の上方に配置されたユーザインタフェース端末７と、を備えている。袋支持台１は、当該装置１の正面側（前方）に位置した操作者７００（図４）によって操作される。操作者７００は、通常は客であるが、店員が操作者７００となってもよい。
【００１３】
籠台１００は、スキャナ５２による商品コードの読み取りがされる前の商品を収納した買物籠５００（図２）が載置される。ここで、商品コードは、商品識別情報であり、バーコードの形態で商品に付されている。
【００１４】
セルフチェックアウト装置Ａでは、操作者７００は、会計前の商品を入れた買物籠５００を籠台１００に置き、買物袋２００（図２，図８参照）を袋支持部４に支持させる。そして、操作者７００は、袋支持台１の手前側（別の言い方をすると前方）に立って、籠台１００に載置した買物籠５００の中の商品を手で取り出し、その商品をスキャナ５２に近接させて商品に付された商品コードをスキャナ５２に読み取らせる。そして、操作者７００は、スキャナ５２によって商品コードの読み取りがなされた商品を、袋支持部４によって開口状態で支持されている買物袋２００に詰める。その後、袋支持台１が、スキャナ５２で商品コードを読み取った商品に対する会計処理を行う。
【００１５】
以下に、袋支持台１の各部を詳細に説明する。
【００１６】
台部２は、第１の筐体１０と、この第１の筐体１０の上方に配置された載置台２０と、を有している。第１の筐体１０は、上面開口の矩形箱状に形成されている。載置台２０は、第１の筐体１０に対して上下動可能となっている。載置台２０は、第１の筐体１０の上面開口を覆っている。第１の筐体１０の内部には、図７に示すように、上下２段の棚１０ａが設けられている。これらの棚１０ａは、左右一対の側壁１０ｂに掛け渡されて固定されている。上段の棚１０ａには、計量器３が載置され、下段の棚１０ａには、情報処理装置６が載置されている。
【００１７】
情報処理装置６は、台部２内で、計量器３の下方に配置されている。詳細には、情報処理装置６は、計量器３の直下に配置されている。情報処理装置６は、袋支持台１の各部を制御する制御部８（図１０参照）を有するコンピュータであり、ＰＯＳ（Point of Sales：販売時点管理）端末として機能する。
【００１８】
計量器３は、図７に示すように、載置台２０と、載置台２０の下方に位置して載置台２０に連結された計量部２１と、を備えている。載置台２０には、図１ないし図６に示すように、袋支持部４が一体に設けられている。載置台２０は、袋支持部４に支持された買物袋２００（図２、図８）による荷重を受ける。詳しくは、載置台２０の上面は、略平坦に形成されており、買物袋２００が載置される載置面２０ａとなっている。載置面２０ａは、買物袋２００の底部を支持する。なお、特に図示しないが、操作者７００は、載置面２０ａに、店舗に自ら持ち込んだマイ籠を載置してもよく、この場合には、載置面２０ａは、マイ籠の底部を支持する。計量部２１は、載置台２０にかかる下方への荷重を計量して電気信号として制御部８へ出力するものであり、例えばロードセル等によって構成されている。
【００１９】
袋支持部４は、買物袋２００を開口状態で支持するものである。詳細には、袋支持部４は、一対の把手を有する買物袋２００の把手を引っ掛けて買物袋２００を開口状態で支持する。この袋支持部４は、操作者７００から見てスキャナ５２の読取窓５２ａの手前側且つ読取窓５２ａの下方に配置されている（図１，図２参照）。また、この袋支持部４は、籠台１００の側方に配置されている。
【００２０】
ここで、買物袋２００は、スキャナ５２によって商品コードが読み取られた商品を収納する袋である。本実施の形態では、買物袋２００として、レジ袋３００（図８）やマイバッグ４００（図２）が適用されている。レジ袋３００は、店舗が操作者７００に提供する買物袋であり、マイバッグ４００は、操作者７００が店舗に持ち込む買物袋である。詳細には、レジ袋３００は、図８に示すように、上面に開口３０１が形成された収納部３０２と、この収納部３０２の上部に連設された一対の把手３０３と、一対の把手３０３の間に位置する一対の引掛片３０４と、を有している。一対の把手３０３には、通し孔３０３ａが形成されている。また、引掛片３０４には、引掛孔３０４ａが形成されている。引掛片３０４における収納部３０２との接続部には、ミシン目３０５が形成されており、引掛片３０４は、ミシン目３０５で収納部３０２から分離可能となっている。マイバッグ４００は、図２に示すように、上面に開口が形成された収納部４０２と、この収納部４０２の上部に連設された一対の把手４０３と、を有している。なお、以後においても、レジ袋３００とマイバッグ４００とを特段に区別しないで説明する場合には、それらを単に買物袋２００という。
【００２１】
袋支持部４は、相互に離間して対向配置されレジ袋３００を開口状態で支持する左右一対の第１の引掛部３０と、フック３１と、相互に離間して対向配置されマイバッグ４００を開口状態で支持する左右一対の第２の引掛部３２と、を有している。即ち、袋支持部４は、一対の支持部として、一対の第１の引掛部３０と一対の第２の引掛部３２とを有している。袋支持部４では、支持構造３３が、第１の引掛部３０、フック３１及び第２の引掛部３２を載置台２０に固定している。ここで、載置台２０の載置面２０ａは、袋支持部４の一部を構成している。
【００２２】
支持構造３３は、第１の引掛部３０を支持している第１の支柱３４と、第２の引掛部３２を支持している第２の支柱３５と、これらの支柱３４，３５間に掛け渡された第１及第２の梁材３６，３７と、を有している。
【００２３】
第２の支柱３５は、載置台２０の幅方向の両縁部に２本ずつ立設されて、合計４本設けられている。載置台２０の各縁部の第２の支柱３５は、奥行き方向に沿って相互に間隔をあけて配置されている。そして、載置台２０の奥行き方向で対向する第２の支柱３５同士が、複数の第１の梁材３６によって連結されている。また、４本の第２の支柱３５のうち奥側に位置する第２の支柱３５同士は、第２の梁材３７によって連結されている。そして、これらの第２の梁材３７に第１の支柱３４が固定されている。
【００２４】
支持構造３３の手前部に位置する第２の支柱３５間は、開放されている。かかる構造によって、操作者７００は、載置面２０ａに対して、載置台２０の手前側から買物袋２００を出し入れすることができる。また、第２の梁材３７は、載置面２０ａの上方に配置されており、第２の梁材３７は、載置面２０ａから離間している。
【００２５】
第１の引掛部３０は、第１の支柱３４の上端部から手前側へ延出した棒状のアーム部材によって構成されている。第１の引掛部３０は、第１の支柱３４によって片持ち支持されている。第１の引掛部３０は、載置面２０ａの上方に位置している。図８に示すように、一対の第１の引掛部３０は、レジ袋３００の各把手３０３にそれぞれ挿入されることで、レジ袋３００の各把手３０３をそれぞれ引っ掛けてレジ袋３００を開口状態で支持する。別の言い方をすると、一方の第１の引掛部３０は、レジ袋３００の一方の把手３０３を引っ掛け、他方の第１の引掛部３０は、レジ袋３００の他方の把手３０３を引っ掛ける。第１の引掛部３０は、金属製の単一の棒部材が折り曲げ形成されることで、第１の支柱３４と一体形成されている。
【００２６】
フック３１は、図１及び図８に示すように、一対の第１の引掛部３０の間に配置されている。フック３１は、第２の梁材３７から手前側へ突出しており、載置面２０ａの上方に位置している。フック３１は、レジ袋３００の引掛片３０４の引掛孔３０４ａを引っ掛けてレジ袋３００を吊り下げ支持する。
【００２７】
フック３１及び第１の引掛部３０は、折り畳まれた状態のレジ袋３００を吊り下げ支持可能である。この状態から、レジ袋３００に商品を詰める際には、操作者７００は、レジ袋３００から引掛片３０４を切り離して、そのレジ袋３００を前方へ引き出して開口状態とする。開口状態のレジ袋３００は、一対の第１の引掛部３０によって引っ掛けられた状態で支持される。即ち、本実施の形態では、一対の第１の引掛部３０は、レジ袋３００を開口状態、閉口状態のどちらの状態でも支持することができる。このように第１の引掛部３０によって支持されたレジ袋３００の底部は、載置台２０によって支持される。
【００２８】
第２の引掛部３２は、フック状に形成されている。第２の引掛部３２は、第２の支柱３５に接続されており、第２の支柱３５を介して載置台２０に固定されている。詳細には、右側の第２の引掛部３２は、右側の２本の第２の支柱３５に接続され、左側の第２の引掛部３２は、左側の２本の第２の支柱３５に接続されている。一対の第２の引掛部３２は、載置面２０ａの上方に位置している。第２の引掛部３２は、金属製の単一の棒部材が折り曲げ形成されることで、第２の支柱３５と一体に形成されている。一対の第２の引掛部３２は、マイバッグ４００の各把手４０３をそれぞれ引っ掛けてマイバッグ４００を開口状態で支持する。別の言い方をすると、一方の第２の引掛部３２は、マイバッグ４００の一方の把手４０３を引っ掛け、他方の第２の引掛部３２は、マイバッグ４００の他方の把手４０３を引っ掛ける。このようにして一対の第２の引掛部３２によって支持されたマイバッグ４００の底部は、載置面２０ａによって支持される。
【００２９】
一対の第１の引掛部３０によって開口状態で支持されるレジ袋３００及び一対の第２の引掛部３２によって開口状態で支持されるマイバッグ４００の配置空間３９は、載置面２０ａの上方の空間を含む。別の言い方をすると、一対の第１の引掛部３０及び第２の引掛部３２は、配置空間３９に買物袋２００を配置する。一対の第１の引掛部３０は、一対の第２の引掛部３２の間に配置されており、かかる配置によって、一対の第１の引掛部３０によってレジ袋３００が配置される第１の配置空間と、一対の第２の引掛部３２によってマイバッグ４００が配置される第２の配置空間とは、少なくとも一部が同じとなっている。ここで、載置台２０のうち袋支持部４が設けられた部分は、操作者７００から見てスキャナ５２の手前側に配置されており、スキャナ５２と載置台２０との間に、買物袋２００の一部を受け入れ可能な受入空間３９ａが形成されている。
【００３０】
以上の構成の袋支持部４は、上述の通り載置台２０に固定されている。したがって、載置台２０は、袋支持部４を支持し、袋支持部４に支持された買物袋２００による荷重を受ける。
【００３１】
一時置き台５は、商品が一時的に載置されるものである。一時置き台５は、操作者７００から見てスキャナ５２の手前側且つスキャナ５２の側方に配置されている（図１，図２参照）。また、一時置き台５は、スキャナ５２の下方に配置されている（図１，図２参照）。一時置き台５は、上面が略平坦な載置面５ａとなっている。載置面５ａには、スキャナ５２で商品コードが読み取られた商品であって買物袋２００に収納される前の商品が一時的に載置される。一時置き台５には、落下阻止部材４０が設けられている。落下阻止部材４０は、載置面５ａに載置された商品に当接して商品が一時置き台５から落下するのを阻止する。一時置き台５は、支持部材４１を介して袋支持部４の支持構造３３に固定されている。したがって、載置台２０は、支持部材４１及び袋支持部４を介して一時置き台５を支持しており、一時置き台５に載置された商品による荷重を受ける。
【００３２】
ユーザインタフェース端末７は、図１に示すように、表示器５０と、表示器５０の下方に配置されたスキャナ５２と、スキャナ５２の下方に配置されたプリンタ５３と、を有している。表示器５０の表示画面５０ａ上には、タッチパネル５１（図１０）が積層配置されている。表示器５０、スキャナ５２及びプリンタ５３は、第２の筐体５５に一体に設けられている。
【００３３】
このユーザインタフェース端末７は、支持部材５７によって支持されている、支持部材５７は、操作者７００から見て台部２の奥部から上方へ延出した柱部材５７ａと、柱部材５７ａの上端部から手前側（前方）へ延出した支持板５７ｂとを有している。柱部材５７ａは、台部２に固定されている。支持板５７ｂの上面にユーザインタフェース端末７が載置されている。支持板５７ｂの一側部には、決済装置５４（図１０参照）が載置される支持台５７ｃが積層して設けられている。
【００３４】
表示器５０は、袋支持部４の上方に配置された表示画面５０ａを有している。表示器５０は、例えば液晶表示器である。表示器５０は、制御部８に制御されて、表示画面５０ａに情報を表示する。表示器５０は、例えば図９に示すスタート画面５８を表示する。このスタート画面５８には、スタートボタン５８ａが表示される。
【００３５】
タッチパネル５１は、操作者７００によってタッチされたパネル上のＸＹ座標の位置を認識して座標データを取得する。タッチパネル５１は、取得した座標データに応じた信号を制御部８に入力する。制御部８は、タッチパネル５１においてタッチされた座標に対応する表示器５０に表示されるボタン等を認識することで、タッチパネル５１によって指定されたボタン等を認識することになる。このタッチパネル５１は、宣言手段として機能し、スタート画面５８のスタートボタン５８ａに対してタッチ操作が行われることで商品の計量開始を宣言する。
【００３６】
スキャナ５２には、操作者７００と対面する読取窓５２ａが設けられている。具体的には、読取窓５２ａは、第２の筐体５５の正面壁に設けられている。スキャナ５２は、載置台２０の上方に配置されている（図１，図２，図５参照）。詳細には、スキャナ５２は、載置台２０の直上に配置されている。また、読取窓５２ａは、正面視で、買物袋２００の一対の引掛部（一対の第１の引掛部３０や一対の第２の引掛部３２）の間に位置している（図２参照）。別の言い方をすると、読取窓５２ａは、買物袋２００の一対の引掛部（一対の第１の引掛部３０や一対の第２の引掛部３２）の対向方向（矢印ｃと同じ方向）で、買物袋２００の一対の引掛部（一対の第１の引掛部３０や一対の第２の引掛部３２）の間に位置している。スキャナ５２は、操作者７００から見て読取窓５２ａの手前側に位置する商品に付された商品識別情報である商品コードを光学的に読み取る。スキャナ５２は、読み取った情報を制御部８に入力する。
【００３７】
読取窓５２ａは、対面する操作者７００から見て袋支持部４の奥側且つ袋支持部４の上方に配置されている（図１，図２，図４参照）。そして読取窓５２ａは、上下方向において、袋支持部４と表示画面５０ａとのうちで表示画面５０ａ寄りに位置している（図２参照）。また、一対の引掛部（一対の第１の引掛部３０や一対の第２の引掛部３２）の対向方向での一対の引掛部の中間位置と、一対の引掛部の対向方向での表示画面５０ａの中央部と、一対の引掛部の対向方向での読取窓５２ａの中央部とが、正面視で（別の言い方をすると、操作者７００からみて上下方向で）一直線上に位置している。
【００３８】
プリンタ５３は、図示しない長尺紙であるレシート用紙にレシートとしての必要事項を印字し、必要事項を印字した部分をレシート用紙から切断してレシートとして発行する。
【００３９】
また、袋支持台１は、決済装置５４（図１０参照）を備える。決済装置５４は、第２の筐体５５の側方に配置された支持台５７ｃに設置されている。決済装置５４は、スキャナにかざされた非接触ＩＣカード（図示せず）との間で近距離の無線通信を行う。決済装置５４は、無線通信によって、非接触ＩＣカードに記憶されている決済に係る情報を読み取る。決済装置５４は、非接触ＩＣカードとの無線通信を、例えばＲＦＩＤ（Radio Frequency Identification：無線周波数識別）で用いられる近距離無線通信用の電波を用いて行う。ここで、非接触ＩＣカードは、決済に係る情報として、例えばプリペイド方式の電子マネーの残高、カード識別情報、顧客識別情報等の情報を記憶している。
【００４０】
図１０に示すように、制御部８は、各部を集中的に制御するＣＰＵ（Central Processing Unit）６０と、起動プログラム等の固定的データを予め格納するＲＯＭ（Read Only Memory）６１と、売上バッファや印字バッファ等の各種バッファを構成して各種データを書き換え自在に格納するＲＡＭ（Random Access Memory）６２と、日付や日時を計時する計時部６３と、を有する。ＲＯＭ６１、ＲＡＭ６２、計時部６３は、アドレスバス、データバス等のバスライン６４を介してＣＰＵ６０に接続されている。ＲＡＭ６２には、計量器３の計量の初期値を記憶する初期値記憶エリアが形成される。
【００４１】
ＣＰＵ６０に接続されたバスライン６４には、上述した表示器５０、タッチパネル５１、計量器３、スキャナ５２、プリンタ５３、決済装置５４の他、通信インタフェース（図面ではＩ／Ｆ）６５や記憶部であるＨＤＤ（Hard Disk Drive）６６が接続されている。通信インタフェース６５は、外部装置との通信を実行する。
【００４２】
ＨＤＤ６６は、ハードディスクを含んでおり、制御部８を動作させるプログラムの他に、商品マスタファイル、販売データ等を記憶する売上ファイル（いずれも図示せず）等を格納している。商品マスタファイルは、商品コードに対応付けて商品名や単価、重量等を記憶するファイルである。ＨＤＤ６６に格納されたプログラムは、商品マスタファイル等の各種ファイルとともにＲＡＭ６２に書き込まれ、これによって制御部８による各部の駆動制御が可能な状態となる。
【００４３】
制御部８は、詳しくは後述するが、ＨＤＤ６６から、スキャナ５２によって商品コードが読み取られた商品の重量を読み出し、読み出した重量と計量器３が計量した荷重とを用いて、スキャナ５２による読み取りが行われていない商品が載置台２０上に載置されたか否かを判定する。
【００４４】
上記構成の袋支持台１の使用方法を詳細に説明する。操作者７００は、会計前の商品を入れた買物籠５００を籠台１００に置き、買物袋２００（レジ袋３００又はマイバッグ４００）を開口状態で袋支持部４に支持させる。そして、操作者７００は、袋支持台１の手前側に立って、表示器５０に表示されたスタート画面５８のスタートボタン５８ａをタッチ操作した後、籠台１００に載置した買物籠５００の中の商品を手で取り出し、取り出した商品をスキャナ５２に近接させて商品に付された商品コードをスキャナ５２に読み取らせる。そして、操作者７００は、スキャナ５２によって商品コードの読み取りがなされた商品を、袋支持部４によって開口状態で支持されている買物袋２００に詰める。この際、本実施の形態では、袋支持部４が、操作者７００から見て読取窓５２ａの手前側且つ読取窓５２ａの下方に配置されているので、袋支持部４に支持された買物袋２００は、操作者７００から見て読取窓５２ａの手前側且つ読取窓５２ａの下方に位置する。したがって、操作者７００は、スキャナ５２に商品コードを読み取らせた後、手に持っている商品を、そのまま下方に移動させたり、スキャナ５２の手前側（前方）に移動させた後に下方に移動させることで、その商品を買物袋２００に入れることができる。つまり、この際、操作者７００は、手に持った商品を自分の胴体から遠ざける方向に移動させなくてよい。ここで、スタートボタン５８ａがタッチ操作された後、表示器５０は、終了ボタンを表示した画面を表示する。
【００４５】
この際、操作者７００は、一時置き台５を使用することができる。例えば、操作者７００は、商品コードをスキャナ５２に読み取らせた後、一時置き台５にパン等の潰れ易い商品を置き、他の商品を買物袋２００に詰めた後に、一時置き台５から商品を降ろして買物袋２００に入れることができる。
【００４６】
操作者７００は、買物袋２００への商品の詰め込みが終了したならば、表示器５０に表示された終了ボタンをタッチ操作し、非接触ＩＣカードを決済装置５４にかざして例えば電子マネーによって代金を支払う。その後、操作者７００は、買物袋２００を袋支持部４から離脱させて、買物袋２００を袋支持台１から離脱させる。
【００４７】
次に、袋支持台１が上記使用方法に従って使用される際に、袋支持台１のＣＰＵ６０が実行する会計処理を説明する。この会計処理では、ＣＰＵ６０は、プログラムに従うことにより、図１１に示すように、設定手段としての設定部７０と、受付手段としての受付部７１と、表示駆動手段及び登録手段としての登録部７２と、算出手段としての算出部７３と、重量チェック手段としての重量チェック部７４、決済手段としての決済部７５と、を機能部として実現する。
【００４８】
次に、会計処理の流れを図１２に示すフローチャートを参照して説明する。図１２に示すように、ＣＰＵ６０は、スタート画面５８のスタートボタン５８ａがタッチ操作されることでタッチパネル５１によって商品の計量開始の宣言がされるのを待つ（ステップＳ１のＮｏ）。
【００４９】
ＣＰＵ６０は、商品の計量開始の宣言がされたと判断した場合（ステップＳ１のＹｅｓ）、設定部７０として動作して、商品の計量開始の宣言がされた際の計量器３による計量値を初期値として設定する（ステップＳ２）。詳細には、ＣＰＵ６０は、タッチパネル５１から受信した信号に基づいて商品の計量開始の宣言がされたと判断した時の計量器３の計量値をＲＡＭ６２の初期値記憶エリアに記憶させることによって、その計量値を初期値として設定する。そして、ＣＰＵ６０は、スキャナ５２に商品コードの読み取り動作を開始させるとともに、終了ボタンを表示した画面を表示器５０に表示させる。
【００５０】
次に、ＣＰＵ６０は、スキャナ５２によって商品コードが入力されるのを待つ（ステップＳ３のＮｏ、ステップＳ８のＮｏ）。ＣＰＵ６０は、受付部７１として動作して、スキャナ５２からの商品コードの入力を受け付けたならば（ステップＳ３のＹｅｓ）、次に、登録部７２として動作し、商品コードの入力を受け付けた商品の販売登録処理を行う（ステップＳ４）。詳細には、ＣＰＵ６０は、商品マスタファイルを検索して、入力された商品コードに対応する商品名、単価、重量等の商品情報を取得し、取得した商品情報に基づいて当該商品の販売データを作成してこの販売データをＲＡＭ６２等の記憶部に記憶させることで、当該商品の販売登録を行う。また、ＣＰＵ６０は、商品の商品情報のうち名称や単価等を表示器５０の表示画面５０ａに表示させる。このとき、商品情報は、表示画面５０ａであればどこに表示してもよいが、表示画面５０ａの下部に表示するのが好適である。さらに、ＣＰＵ６０は、ここまで販売登録した商品の合計金額を算出して、ＲＡＭ６２等の記憶部に記憶させるとともに、表示器５０に表示させる。
【００５１】
次に、ＣＰＵ６０は、算出部７３として動作して、ＲＡＭ６２の初期値記憶エリアに記憶されている初期値からの計量器３による計量値の変動値を算出する（ステップＳ５）。詳細には、ＣＰＵ６０は、ステップＳ３で商品コードを受け入れてから、載置台２０に商品が載置されることで計量器３の計量値が増加した後、計量器３の計量値が略一定値に安定したときの計量値を、対象計量値とする。そして、ＣＰＵ６０は、対象計量値からＲＡＭ６２の初期値記憶エリアに記憶されている初期値を除算することで、変動値を算出する。以後、この変動値を実際重量とも呼ぶ。
【００５２】
次に、ＣＰＵ６０は、重量チェック部７４として動作して、重量チェックを行う（ステップＳ６）。詳細には、ステップＳ５で算出した実際重量が、ステップＳ４で検索してＲＡＭ６２に記憶させた商品の重量（以後、理論重量とも呼ぶ）と同一性を有するか否かを判定することで、計量器３が計量した商品がステップＳ４で販売登録されたものか否かを判定する。即ち、ＣＰＵ６０は、スキャナ５２による読み取りが行われていない商品が載置台２０上に載置されたか否かを判定する。ＣＰＵ６０は、実際重量と理論重量との差が規定の範囲内である場合には、実際重量は理論重量と同一性を有すると判定し、計量器３が計量した商品は販売登録済みのものであると判定する。つまり、ＣＰＵ６０は、スキャナ５２による読み取りが行われていない商品は、載置台２０上に載置されていないと判定する。一方、ＣＰＵ６０は、実際重量と理論重量との差が規定の範囲外である場合には、実際重量は理論重量と同一性を有しないと判定し、計量器３が計量した商品は販売登録がされていないものであると判定する。つまり、ＣＰＵ６０は、スキャナ５２による読み取りが行われていない商品が載置台２０上に載置されたと判定する。この判定をした後、ＣＰＵ６０は、ＲＡＭ６２の初期値記憶エリアの値をステップＳ３で得た対象計量値で更新して、対象計量値を新たな初期値として設定する。
【００５３】
ＣＰＵ６０は、計量器３が計量した商品は販売登録済みのものであると判定した場合において（ステップＳ７のＹｅｓ）、終了ボタンがタッチ操作されずに（ステップＳ８のＮｏ）、商品コードの入力が有ったときには、ステップＳ３に戻って商品コードの入力を受け付け、ステップＳ３〜Ｓ７の処理を繰り返し行う。一方、ＣＰＵ６０は、計量器３が計量した商品が販売登録されていないものであると判定した場合には（ステップＳ７のＮｏ）、規定のエラー処理を行う。
【００５４】
そして、ＣＰＵ６０は、表示器５０に表示された終了ボタンがタッチ操作されたと判断した場合（ステップＳ８のＹｅｓ）、決済部７５として動作して決済処理を実行する（ステップＳ９）。この決済処理では、ＣＰＵ６０は、販売登録した商品の代金を算出して、その算出した金額を表示器５０に表示させるとともに、決済装置５４を駆動して非接触ＩＣカードとの間で決済を行わせる。決済装置５４は、当該決済装置５４にかざされた非接触ＩＣカードに記憶された電子マネーの残高やカード識別情報等の情報を読み取った後、非接触ＩＣカードに電子マネーの残高から代金分の金額を減額させる。そして、ＣＰＵ６０は、当該取引のレシートをプリンタ５３に発行させる。また、ＣＰＵ６０は、決済装置５４が読み取ったカード識別情報に商品の代金の額を関連付けして請求情報を生成する。この請求情報は、所定のタイミングで電子マネー運用会社のサーバに送信され、このサーバの処理によって、請求情報に含まれる代金の額分の現金が、店舗が指定した預金口座に電子マネー運用会社から振り込まれる。
【００５５】
以上説明したように、本実施の形態では、袋支持部４が、操作者７００から見て読取窓５２ａの手前側且つ読取窓５２ａの下方に配置されているので、袋支持部４に支持された買物袋２００は、操作者７００から見て読取窓５２ａの手前側且つ読取窓５２ａの下方に位置する。したがって、操作者７００は、スキャナ５２に商品コードを読み取らせた後、手に持っている商品を、そのまま下方に移動させたり、スキャナ５２の手前側（前方）に移動させた後に下方に移動させることで、その商品を買物袋２００に入れることができる。よって、この際、操作者７００は、手に持った商品を自分の胴体から遠ざける方向に移動させなくてよいので、スキャナ５２に商品コードを読み取らせた商品を、買物袋２００へ容易に入れることができる。
【００５６】
また、本実施の形態の袋支持台１は、載置台２０を有しこの載置台２０にかかる荷重を計量する計量器３を備え、載置台２０には、袋支持部４が一体に設けられ、載置台２０は、袋支持部４に支持された買物袋２００による荷重を受ける。したがって、計量器３は、袋支持部４に支持された買物袋２００の重量を含む載置台２０にかかる荷重を計量する。
【００５７】
また、本実施の形態では、情報処理装置６は、商品の重量を記憶した記憶部であるＨＤＤ６６からスキャナ５２によって商品コードが読み取られた商品の重量を読み出し、読み出した重量と計量器３が計量した荷重とを用いて、スキャナ５２による読み取りが行われていない商品が載置台２０上に載置されたか否かを判定する。したがって、スキャナ５２によって商品コードが読み取られていない商品が、買物袋２００に入れられて店外へ持ち出されることを抑制することができる。
【００５８】
また、本実施の形態では、情報処理装置６は、計量器３の下方に配置されている。したがって、計量器３の下方のスペースを計量器３の設置スペースとして有効利用することができる。
【００５９】
また、本実施の形態では、スキャナ５２は、載置台２０の上方に配置されている。また、載置台２０のうち袋支持部４が設けられた部分は、操作者７００から見てスキャナ５２の手前側に配置されており、スキャナ５２と載置台２０との間に、買物袋２００の一部を受け入れ可能な受入空間３９ａが形成されている。したがって、比較的大型のマイバッグ４００やマイ籠であっても、受入空間３９ａを用いて載置台２０に置くことができる。
【００６０】
また、本実施の形態では、袋支持部４の側方には、スキャナ５２による商品コードの読み取りがされる前の商品を収納した買物籠５００が載置されている籠台１００が配置されている。したがって、買物籠５００をスキャナ５２の側方に位置させることができる。ここで、本実施の形態では、籠台１００の載置面１０１ａは、計量器３の載置面２０ａの上方に位置している。
【００６１】
ここで、スキャナ５２に商品コードを読み取らせる際には、操作者７００は、商品やスキャナ５２の読取窓５２ａを見ている。そして、スキャナ５２により商品コードが読み取られた商品の商品情報が表示画面５０ａに表示されると、操作者７００は、視線を表示画面５０ａに移動させて、商品情報を確認する。この際、視線の移動距離が短い方が、操作者７００にかかる負荷は少ない。本実施の形態では、上述した通り、読取窓５２ａが、対面する操作者７００から見て袋支持部４の奥側且つ袋支持部４の上方に配置されて袋支持部４と表示画面５０ａとのうちで表示画面５０ａ寄りに位置している。したがって、読取窓５２ａが、袋支持部４寄りに位置している場合に比べて、操作者７００の視線の移動距離が少なくなるので、操作者７００の負荷を低減することができる。よって、スキャナ５２に商品コードを読み取らせた商品を買物袋２００へ更に容易に入れることができる。更に、本実施の形態では、表示駆動手段である登録部７２は、スキャナ５２によって商品コードが読み取られた商品に関する商品情報を表示画面５０ａの下部に表示する。したがって、操作者７００の視線の移動距離が更に少なくなるので、操作者７００の負荷をより低減することができる。
【００６２】
また、本実施の形態では、袋支持部４は、相互に離間して対向配置され買物袋２００の把手をそれぞれ引っ掛ける一対の引掛部（一対の第１の引掛部３０や、一対の第２の引掛部３２）を有している。そして、一対の引掛部（一対の第１の引掛部３０や一対の第２の引掛部３２）の対向方向での一対の引掛部の中間位置と、一対の引掛部の対向方向での表示画面５０ａの中央部と、一対の引掛部の対向方向での読取窓５２ａの中央部とが、正面視で一直線上に位置している。したがって、表示画面５０ａ、読取窓５２ａ、袋支持部４のそれぞれの間での操作者７００の視線の移動が直線的になるので、操作者７００の視線移動の方向が複雑になることを抑制でき、操作者７００にかかる負荷を少なくすることができる。
【００６３】
また、本実施の形態では、一時置き台５が、操作者７００から見てスキャナ５２の手前側且つスキャナ５２の側方に配置されている。したがって、操作者７００は、スキャナ５２に商品コードを読み取らせた商品をスムーズに一時置き台５に置くことができる。更に、本実施の形態では、一時置き台５は、スキャナ５２の下方に配置されている。したがって、操作者７００は、スキャナ５２に商品コードを読み取らせた商品をよりスムーズに一時置き台５に置くことができる。
【００６４】
（第２の実施の形態）
次に、本発明の第２の実施の形態を図１３を参照して説明する。なお、第１の形態と同じ要素には同一符号を付与し、重複する説明は省略する。
【００６５】
本実施の形態の袋支持台１Ａは、第１の実施の形態の袋支持台１に対して、一時置き台５の位置が異なる。本実施の形態の一時置き台５は、当該装置Ａの幅方向で、ユーザインタフェース端末７と対向している。そして、一時置き台５は、上下方向で、載置台２０の載置面２０ａと対向している。一時置き台５は、支持部材４１Ａによって載置面２０ａに固定されている。
【００６６】
また、袋支持台１Ａは、台部２における第１の筐体１０の底面の四隅に、車輪１１を備える。これらの車輪１１によって、袋支持台１Ａは走行可能となっている。さらに、袋支持台１Ａは、載置台２０の側方及び奥側に位置した囲い部材９０を備えている。この囲い部材９０の手前部における上部には、面取り部９０ａが形成されている。
【００６７】
以上の構成の袋支持台１Ａでは、一時置き台５が、上下方向で、載置台２０の載置面２０ａと対向しているので、水平方向で一時置き台５が載置台２０から突出量を少なくすることができる。
【００６８】
なお、本発明は、上記各実施の形態に限ることなく本発明の要旨を逸脱しない範囲で他の実施の形態を各種採用することができる。上記各実施の形態では、袋支持部４として、第１の引掛部３０と第２の引掛部３２を備えたものを例に説明したが、これに限るものではなく、袋支持部４は、第１の引掛部３０と第２の引掛部３２とのいずれか一方だけを備えたものであってもよい。
【００６９】
また、セルフチェックアウト装置Ａで実行されるプログラムを、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供しても良い。
【００７０】
また、セルフチェックアウト装置Ａで実行されるプログラムを、インターネット等のネットワークに接続されたコンピュータ上に格納し、ネットワーク経由でダウンロードさせることにより提供するように構成しても良い。また、セルフチェックアウト装置Ａで実行されるプログラムをインターネット等のネットワーク経由で提供または配布するように構成しても良い。
【符号の説明】
【００７１】
３…計量器
４…袋支持部
６…情報処理装置
２０…載置台
３９ａ…受入空間
５２…スキャナ
５２ａ…読取窓
６６…ＨＤＤ（記憶部）
１００…籠台
２００…買物袋
３００…レジ袋（買物袋）
３０３，４０３…把手
４００…マイバッグ（買物袋）
５００…買物籠
７００…操作者
Ａ…セルフチェックアウト装置（スキャナ付き袋支持装置）
【先行技術文献】
【特許文献】
【００７２】
【特許文献１】特開２００７−２２６４９８公報
【図１】
2011164761.tif 000003
【図２】
2011164761.tif 000004
【図３】
2011164761.tif 000005
【図４】
2011164761.tif 000006
【図５】
2011164761.tif 000007
【図６】
2011164761.tif 000008
【図７】
2011164761.tif 000009
【図８】
2011164761.tif 000010
【図９】
2011164761.tif 000011
【図１０】
2011164761.tif 000012
【図１１】
2011164761.tif 000013
【図１２】
2011164761.tif 000014
【図１３】
2011164761.tif 000015